(57)【要約】      （修正有）【課題】ランドセルの下端両側隅に設けた三角隅部の変形を防止する補強片を提供する。【解決手段】コーナー補強片２０は、ランドセルの背板９と大マチ面部１２と底面部１３とからなる三角隅部Ｘに取付けるものであって、前記大マチ面部１２の背板側隅部に位置する側面板部２１と、底面部１３の背板側隅部に位置する底面板部２２と、背板９の下辺隅部に位置する背面板部２３とからなり、前記側面板部と底面板部と背面板部を軽量で強度を有する補強部材により一体に形成してなる。【選択図】図３
0003175954.tif 000002
【実用新案登録請求の範囲】
【請求項１】
コーナー補強片（２０）は、ランドセル（８）の背板（９）と大マチ面部（１２）と底面部（１３）とからなる三角隅部（Ｘ）に取付けるものであって、
前記大マチ面部（１２）の背板側隅部に位置する側面板部（２１）と、
底面部（１３）の背板側隅部に位置する底面板部（２２）と、
背板（９）の下辺隅部に位置する背面板部（２３）とからなり、
前記側面板部と底面板部と背面板部とを軽量で強度を有する補強部材により一体に形成してなることを特徴とするランドセル用コーナー補強片。
【請求項２】
前記背面板部（２３）は、三角形状の表面側に縫製時のミシン針が貫通するアール状の縫代部（２４）を設け、裏面側の中央に係止突起（２５）を設けてなることを特徴とする請求項１記載のランドセル用コーナー補強片。
【請求項３】
前記側面板部（２１）と底面板部（２２）と背面板部（２３）は、それぞれ裏面に接着剤を塗布し、該接着剤の表面全体に剥離紙を剥離可能に取付けた接着部（２７）を設けてなることを特徴とする請求項１または２記載のランドセル用コーナー補強片。
【請求項４】
前記側面板部（２１）と底面板部（２２）と背面板部（２３）は、それぞれ表面側に係止凹部（３７）を設け、該係止凹部に反射板または任意模様さらには各種キャラクター図形などを施した装飾板（３８）をそれぞれ接着してなることを特徴とする請求項１ないし３のいずれか１記載のランドセル用コーナー補強片。
【請求項５】
コーナー補強片（４０）は、ランドセル（８）の背板（９）と大マチ部（１２）と底面部（１３）とからなる三角隅部（Ｘ）に取付けるものであって、
上方に軸孔（４９）を有した支持板部（４８）の下端を前記大マチ部（１２）の背板側に位置する側面板部（４１）と一体に形成した補強板部（４７）と、
底面部（１３）の背板側隅部に位置する底面板部（４２）と、
前記背板（９）の下辺隅部に三角形状に位置して表面側に縫製時のミシン針が貫通する縫代部（４４）を設け、裏面側の中央に係止突起（４５）を設けてなる背面板部（４３）とからなり、
前記補強板部と底面板部と背面板部とを軽量で強度を有する補強部材でそれぞれ一体に形成してなることを特徴とするランドセル用コーナー補強片。
【請求項６】
前記補強板部（４７）が、上方に軸孔（４９）を有した支持板部（４８）の下端を底面部（１３）の背板側に位置する底面板部（４２）の幅方向と一体に形成してなることを特徴とする請求項５記載のランドセル用コーナー補強片。
【請求項７】
前記側面板部（４１）と底面板部（４２）と背面板部（４３）は、それぞれ裏面に接着剤を塗布し、該接着剤の表面全体に剥離紙を剥離可能に取付けて接着部（４６）を設けてなることを特徴とする請求項５または６記載のランドセル用コーナー補強片。
【考案の詳細な説明】
【技術分野】
【０００１】
本考案はランドセルの背板側下端隅部に取付ける補強片の改良に関する。
【背景技術】
【０００２】
従来、ランドセルの多くは、教科書やノートなどを収納する主収納室と、各種教材を収容する副収納室と小物を収容する前ポケットなどを皮革または合成皮革などにより形成され、前記主収容室は、背板の背面側で上方を除く周縁に設けたコバ部（縫代部）に大マチ板（底面部と両側マチ部を一体に形成した帯状の板）の周縁を谷折りし、前記コバ部に縫着して形成してある。
【０００３】
前記ランドセルを構成する背板の周縁に設けたコバ部の下辺両端には、ランドセルの側面方向からの衝撃や底面側からの衝撃を吸収し、さらには、底面部の磨り減りなどによる経年変化を防止するため、皮製や布製の補強片を縫着、または金属製の補強片をかしめ止め、または、さらには合成樹脂製の補強片をビス止め、または、はとめ止めして補強されたものが知られている（特許文献１、２）。
【０００４】
また、ランドセルを構成する主収容室のサイズは、学校行事の案内や学校から保護者へのお知らせなどのプリントの多くがＡ４サイズであり、前記プリントが下校中に紛失するのを防止するため、Ａ４サイズが入るクリアファイルに入れられている。そのため、主収容室は、Ａ４サイズのクリアファイルが入るいわゆる標準サイズが使用されている。また、昨今は、Ａ４版クリアファイルより大きいサイズのＡ４ポケットファイルも利用されることが多く、従来の標準サイズの主収容室ではそのまま収容することが困難となる場合がある。
【０００５】
そこで、従来型のランドセルに使用されている背板のサイズをそのままで主収容室の広さで前記Ａ４ポケットファイルを収容することができる、いわゆるワイド型ランドセル（Ａ４ポケットファイルが収納可能な大きさ）が形成されている。このワイド型ランドセルは、主収容室を構成する大マチ板の縫代部を背板の周縁コバ部を外側から覆うように山折りにして背板に直接縫着して形成されている。背板側に山折りすることにより、背板の周縁に設けたコバ部の分だけ主収容室を広く形成することができる。このワイド型ランドセルは、背板の周縁にコバ部がないため、前記した従来型の補強片を取付けることができない。そこで、背板の下辺部分を衝撃や変形を防止するための背板の下辺両側または下辺全体に補強片を取付けたものが知られている（特許文献３）。
【先行技術文献】
【特許文献】
【０００６】
【特許文献１】実開昭６０−１４２６２５号
【特許文献２】実開昭６３−５４３１７号
【特許文献３】特開２００３−９９２７号
【０００７】
前記したワイド型ランドセルの背板の下端に設けた三角隅部は、補強片を保持するマチ部がないため金属製の補強片を取付けるためには、作業に熟練した技術が必要で簡単に取付けることが困難である。また、三角隅部に補強片を取付けても保持部分が弱いため外部からの衝撃で外れやすく長持ちしない。したがって、ランドセルの三角隅部であるマチ側面と底面と背面を同時に保護する補強片を取付けることが困難であるため、取付けやすい背面側の下辺に補強片を取付けて保護している。そのため、ランドセルの大マチ部は側面方向からの衝撃や底面側からの衝撃を吸収することが困難で、経年変化や磨り減りによる型崩れが早く、ランドセルが長持ちしないという問題点を有している。
【考案の概要】
【考案が解決しようとする課題】
【０００８】
そこで本考案は、背板の周縁にコバ部を有しないワイド型ランドセルの背板側の下端三角隅部であるマチ側面と底面と背面を同時に保護することが可能で、側面方向からの衝撃や底面側からの衝撃を受けても簡単に脱落せず、また衝撃を吸収して経年変化や磨り減りによる型崩れを防止することができ、さらには重量の軽い部材からなるものを取付けることによりランドセルの強度を高めると共に軽量化を図ることを目的とする。
【課題を解決するための手段】
【０００９】
請求項１のコーナー補強片２０は、ランドセル８の背板９と大マチ面部１２と底面部１３とからなる三角隅部Ｘに取付けるものであって、前記大マチ面部１２の背板側隅部に位置する側面板部２１と、底面部１３の背板側隅部に位置する底面板部２２と、背板９の下辺隅部に位置する背面板部２３とからなり、前記側面板部と底面板部と背面板部を軽量で強度を有する補強部材により一体に形成してなることを特徴とする。また、前記背面板部２３は、三角形状の表面側に縫製時のミシン針が貫通するアール状の縫代部２４を設け、裏面側の中央に係止突起２５を設けてなることを特徴とする。さらに、前記側面板部２１と底面板部２２と背面板部２３は、それぞれ裏面に接着剤を塗布し、該接着剤の表面全体に剥離紙を剥離可能に取付けた接着部２７を設けてなることを特徴とする。さらにはまた、前記側面板部２１と底面板部２２と背面板部２３は、それぞれ表面側に係止凹部３７を設け、該係止凹部に反射板または任意模様さらには各種キャラクター図形などを施した装飾板３８をそれぞれ接着してなることを特徴とする。
【００１０】
したがって、補強片２０を構成する側面板部２１と底面板部２２と背面板部２３の３面を立体的で一体に形成したことにより、背板９の下辺両端に設けた三角隅部Ｘに取付ける際、三角隅部の３面全体を覆うように被せて取付けることができるので、外部からの衝撃による脱落や磨り減りによる型崩れなどの経年変化や防止することができる。また、側面板部２１と底面板部２２と背面板部２３に設けた係止凹部３７に反射板または任意模様さらには各種キャラクター図形などを施した装飾板３８を装着したことにより児童の安全を図ることができる。さらに、補強片２０の取付け作業は、裏側に設けた接着部２７を前記三角隅部Ｘに接着してから縫製作業をすることにより、縫製作業中に補強片２０が脱落したり、取付け位置がズレたりするのを防止することができる。さらにはまた、縫製作業と補強片２０の取付け作業を同時に行うことができるので縫製作業の効率化を図ることができる。また、前記三角隅部Ｘに位置した補強片２０の背面板部２３と、背板９と大マチ部１２と底面部１３とを一緒に縫着するため、補強片２０を三角隅部に強固で確実に取付けることができる。さらにはまた、補強片を軽量で強度を有する補強部材、例えば、合成樹脂材または合成皮革材により一体に形成したことによりランドセル全体の軽量化を図ることができる。
【００１１】
請求項５のコーナー補強片４０は、ランドセル８の背板９と大マチ部１２と底面部１３とからなる三角隅部Ｘに取付けるものであって、上方に軸孔４９を有した支持板部４８の下端を前記大マチ部１２の背板側に位置する側面板部４１と一体に形成した補強板部４７と、底面部１３の背板側隅部に位置する底面板部４２と、前記背板９の下辺隅部に位置する三角形状で表面側に縫製時のミシン針が貫通する縫代部４４を設け、裏面側の中央に係止突起４５を設けて形成した背面板部４３とからなり、前記補強板部と底面板部と背面板部とを軽量で強度を有する補強部材で一体に形成してなることを特徴とする。また、前記補強板部４７が、上方に軸孔４９を有した支持板部４８の下端を底面部１３の背板側に位置する底面板部４２の幅方向と一体に形成してなることを特徴とする。さらに、前記側面板部４１と底面板部４２と背面板部４３は、それぞれ裏面に接着剤を塗布し、該接着剤の表面全体に剥離紙を剥離可能に取付けて接着部４６を設けてなることを特徴とする。
【００１２】
したがって、側面補強部４７と底面板部４２と背面板部４３の３面からなるコーナー補強片４０を一体に形成したことにより、ランドセル８の三角隅部Ｘ全体とだるま環を取付ける大マチ面部または安定底片を取付ける底面部をそれぞれ覆うように被せて取付けることができるため、外部からの衝撃や磨り減りによる型崩れなどの経年変化を防止することができる。また、ランドセルの縫製作業において、補強片４０の裏側に設けた接着部４６を前記三角隅部Ｘに接着してから縫製作業を行うことにより、作業中に補強片４０が脱落したり、位置がズレたりするのを防止することができるので縫製作業の効率化を図ることができる。さらに、縫製作業を行うときに前記三角隅部Ｘに位置した補強片４０の背板側を覆う背面板部４３の表面側から背板９と大マチ部１２または底面板１３を一緒に縫着することにより補強片４０を強固で確実に取付けることができる。また、軽量で強度性を有する補強部材、例えば、合成樹脂材または合成皮革材などで一体に形成することにより、ランドセル全体の軽量化を図ることができる。
【図面の簡単な説明】
【００１３】
【図１】ランドセルに取付けた第１補強片の斜視図である。
【図２】三角隅部に第１補強片を取付ける前の状態を示す拡大斜視図である。
【図３】三角隅部に取付けた第１補強片の拡大斜視図である。
【図４】第１補強片の底面図である。
【図５】図４のＡ―Ａ線断面図である。
【図６】装飾片を取付けた第１補強片の斜視図である。
【図７】図６のＢ―Ｂ線断面図である。
【図８】第２補強片を取付けたランドセルの斜視図である。
【図９】第２補強片の斜視図である。
【図１０】第２補強片の底面図である。
【図１１】第２補強片の側面図である。
【図１２】ランドセルの底面部に第２補強片を取付けた状態の一部破断した斜視図である。
【考案を実施するための形態】
【００１４】
本考案の第１の実施の形態である第１補強片を図面に基づいて説明すると、図１はランドセルに取付けた第１補強片の斜視図、図２は三角隅部に第１補強片を取付ける前の状態を示す拡大斜視図、図３は三角隅部に取付けた第１補強片の拡大斜視図、図４は第１補強片の底面図、図５は図４のＡ―Ａ線断面図である。ランドセル８は、天然皮革、合成皮革などからなる背板９の背面側に教科書やノートまたはＡ４ポケットファイルなどを収容する主収納室１０と副教材を収容する副収容室１５と、小物などを収容する前ポケット部１７をそれぞれ形成し、一端を前記背板９の上端に縫着した蓋板１８で前記主収納室１０と副収容室１５と前ポケット１７を開閉可能に覆って形成してある。前記背板９と主収納室１０の縫製は、両側大マチ面部１２と底面部１３を一体に形成した幅広で帯状に形成した大マチ片１１を縫着してなり、該大マチ片に設けた大マチ面部１２の背板側に設けた縫代部１２ａと、底面部１３の背板側に設けた縫代部１３ａをそれぞれ背板側に山折して縫着して形成してある。したがって、背板９の周縁にはコバ部を有しない主収納室１０内を広く形成したランドセル（いわゆる、ワイド型ランドセル）を形成することができ、前記背板９の下辺両端と大マチ面部１２の背板側下端と底面部１３の背板９の両端が接する両三角隅部Ｘにそれぞれ第１補強片２０、２０を取付けてある。
【００１５】
第１補強片２０は、図１から４に示すごとく、大マチ面部１２の背板側下端を覆う側面板部２１と、底面部１３の背板側両端を覆う底面板部２２と背板９の隅部表面を覆う三角形状に形成した背面板部２３とを、軽量で強度性を有する補強部材、例えば、合成樹脂材または、合成皮革材などでそれぞれ一体に形成してある。
【００１６】
前記第１補強片２０は、側面板部２１と底面板部２２の長手方向両端を直角方向に位置し、該側面板部と底面板部２２の背板側の一辺と、三角形状に形成した背面板部２３の２辺とをそれぞれ接合して立体的で一体に形成してある。この第１補強片２０を立体的に形成したことにより、ランドセル１の背板９の下辺両端に設けた三角隅部Ｘの３面全体を覆うように被せて取付けることができるため、外部からの衝撃による脱落や磨り減りによる型崩れなどによる経年変化を防止することができる。
【００１７】
図４に示すごとく、三角形状に形成した第１補強片２０の背面板部２３は、長辺の裏面側に背板９と接する位置に背面板部２３を補強するための係止突起２５を一体に設け、該係止突起は、第１補強片２０を三角隅部Ｘ取付けたときに背板９の表面に圧着させることにより、外部からの衝撃を受けたときに第１補強片２０の取付け位置がズレるのを防止することができる。
【００１８】
前記第１補強片２０は、図４、５に示すごとく、側面板部２１の裏面長手方向と底面板部２２の裏面長手方向全体、および背面板部２３の裏面にそれぞれ接着剤を塗布し、該接着剤の表面全体に剥離紙を剥離可能に取付けた接着部２７を設けてある。
【００１９】
前記第１補強片２０の裏側三面に接着部２７をそれぞれ設けたことにより、第１補強片２０をランドセル８の三角隅部Ｘへ取付ける際、前記第１補強片２０の裏面に設けた接着部２７の剥離紙を剥がした後、ランドセル８の三角隅部Ｘの所定位置に第１補強片２０を押付けて接着してから縫製作業を行う。
【００２０】
ランドセル８の三角隅部Ｘに第１補強片２０を接着した後、背面板部２３と背板９と大マチ面部１２との縫着部を重ね合わせてから縫製作業をすることにより、縫製作業中に補強片２０が脱落したり、取付け位置がズレたりするのを防止することができるので縫製作業の効率化を図ることができる。
【００２１】
前記縫製作業に使用するミシンは、ランドセル縫製用の工業用ミシンで、硬くて厚い背板９や大マチ面部１２でも容易に針が貫通して縫製することができる。したがって、合成樹脂材や人工皮革材により形成した硬質性を有する第１補強片２０の背面板部２３が、大マチ面部１２の縫代部１２ａと背板９の周縁と一緒に縫着したときの衝撃で背面板部２３が割れたり、針が折れたりする虞はなく効率的に作業を行うことができる。
【００２２】
大マチ面部１２の縫代部１２ａと背板９の周縁と一緒に縫い糸５１で縫着された第１補強片２０は、外部からの強い衝撃や擦れによる摩擦などを受けても接着部２７および背面板部２３の縫着と、裏面に設けた係止突起２５により三重に保持されているため脱落したり破損したりするのを防止することができる。また、第１補強片２０を取付けて保護されたランドセル８の三角隅部Ｘは、三面全体を覆うように取付けて保護されているため経年変化による劣化を防止することができる。
【００２３】
図６、７に示すごとく、前記第１補強片２０の側面板部２１の表面長手方向と、底面板部２２の表面長手方向、および背面板部２３の表面に、それぞれ係止凹部３７を設け、該係止凹部に光に反射する反射板や任意図形またはまんがのキャラクター図形などの装飾を施した装飾板３８を接着して取付けてある。
【００２４】
前記側面板部２１と底面板部２２と背面板部２３に設けた係止凹部３７にそれぞれ装飾部３８を取付けたことにより、例えば、反射板を取付けた場合は、下校時の夕暮れどきに車両からのライトが反射することにより運転者の注意を喚起することができるので、交通事故防止につながり安全である。また、女の子や男の子が好む図形さらにはまんがキャラクターなどを施すことにより、他のランドセルと差別化することができるので購買意欲を増進させることができる。
【００２５】
図８〜１２は、前記補強片の第２の実施の形態を示す第２補強片４０で、大マチ面部１２の背板側にそれぞれ位置する側面板部４１に、背負ベルトの一端を連結するだるま環を軸支するねじ軸を挿通する軸孔４９を有した半円形の支持板部４８を一体に形成した側面補強部４７と、底面部１３の背板側面に位置する底面板部４２と、背板９の下端隅部に位置する略三角形に形成した背面板部４３とをそれぞれ軽量で強度を有する補強部材、例えば、合成樹脂材または合成皮革材などにより一体に形成してある。前記支持板部４８は、表面側に軽金属材、例えば、アルミ板材などを貼り付けて前記側面板部４１と一体に形成してもよい。支持板部４８の表面に軽金属材を貼着して形成することにより、大マチ面部の強度性を高めることができる。
【００２６】
前記第２補強片４０を構成する側面補強部４７は、図１２に示すごとく、大マチ面部１２に位置する側面板部４１とだけでなく、底面部１３の背板側面に位置する底面板部４２に前記支持板部４８を一体に取付けて形成してもよい。底面板部４２に支持板部４８を取付けて側面補強部４７を形成することにより、ダルマカンを取付けることもでき、または、ランドセルを机上に置いたときにランドセルが転倒するのを防止する安定足片を取付ける際の補強板としても使用することができる。
【００２７】
第２補強片４０に設けた側面補強部４７は、側面板部４１または底面板部４２のいずれか一方の対称に取付けてあるため、例えば、右側大マチ面部に取付けた第２補強片４０と同じ形の第２補強片４０は、左側底面部のコーナー補強片としても使用することができるので、補強片の部品数を軽減することができ経済的である
【００２８】
前記第２補強片４０の背板側に設けた三角形状の背面板部４３は、長辺部の裏面側に背面板部を補強するための係止突起４５を一体に形成し、該係止突起は、第２補強片４０を三角隅部Ｘ取付けたとき、背板９の表面に圧着させることにより、外部からの衝撃で第２補強片４０が壊れたり、取付け位置がズレるのを防止することができる。
【００２９】
また、前記側面板部４１の裏面長手方向と底面板部４２の裏面長手方向および背面板部４３の裏面にそれぞれ接着剤を塗布し、該接着部の表面に剥離紙を剥離可能に取付けた接着部４６を設けたことにより、三角隅部Ｘに第２補強片４０を接着した後に縫製作業をすることにより、縫製作業中に補強片４０が脱落したり、取付け位置がズレたりするのを防止することができるので縫製作業の効率化を図ることができる。
【００３０】
この第２補強片４０は、前記したごとく、側面板部４１に側面補強部４７を設けた場合は、三角隅部Ｘの補強と、大マチ面部１２に取付けるだるま環（図示せず）の補強を兼ねることができ、底面板部４２に側面補強部４７を設けた場合は、三角隅部Ｘの補強と、底面部１３に取付ける安定足片５０の補強とをそれぞれ兼ねることができるので、三角隅部Ｘの強度をより高めることができる。
【００３１】
第２補強片４０のランドセル８への縫製工程は、前記第１補強片２０とほぼ同じであるのでここでの説明を省略する。また、前記第１補強片２０に取付けた装飾部３８は、この第２補強片４０の側面板部４１、底面板部４２および背面板部４３に係止凹部３７を設けて取付けることができるのは勿論である。  
【００３２】
以下、本考案の実施の形態の作用について説明すると、第１、２補強片２０、４０は、全体を軽量で強度性を有する合成樹脂材または合成皮革材などで一体に形成したことにより、ランドセルの軽量化とコストダウンを図ることができ、また、ランドセルの色に合わせて補強片を着色することにより、ランドセルに違和感が生じないようにしてある。
【００３３】
第１、２補強片２０、４０のランドセル８への取付けは、ランドセルの縫製工程において、背板９の周縁部に大マチ面部１２の縫代部１２ａおよび底面部１３の縫代部１３ａの縫着工程と同時に行うもので、前記第１、２補強片２０、４０の裏面に設けた接着部２７、４６の剥離紙を剥がし、ランドセル８の三角隅部Ｘの所定位置に第１、２補強片２０、４０を接着し、次いで、背板の周縁と重合した大マチ面部１２の縫代部１２ａから底面部１３の縫代部１３ａ方向に縫着する過程で、三角隅部Ｘに位置する補強片の背面板部に設けた縫代部２４、４４を一体に縫着する。縫製は、背面板部と背板と大マチ面部および底面板部の縫代部を一緒にアール状に縫い糸５１で縫着して取付ける。
【００３４】
前記縫製作業において、第１、２補強片２０、４０は、各接着部２７、４６の剥離紙を剥がして三角隅部Ｘに接着してから縫製作業を行うので、作業中に第１、２補強片がズレたり脱落したりすることがなく所定位置で確実に縫製することができるので、作業効率の向上を図ることができる。
【００３５】
ランドセル８の三角隅部Ｘを第１、２補強片２０、４０でそれぞれ覆うように被せて保護し、さらに、接着部と背面板部の縫製と背面板部の裏面に設けた係止突起２５、４５とにより３重に保持することにより、外部からの強い衝撃や擦れによる摩擦などを受けてもて強固に縫着されているため脱落したり破損したりするのを防止することができる。
【００３６】
第１補強片２０の側面板部２１と底面板部２２および背面板部２３の表面に設けた係止凹部３７に装飾部３８を設けたことにより、前記装飾部３８を、例えば、反射板を取付けた場合は、下校時の夕暮れどきに車両からのライトが反射することにより運転者の注意を喚起することができるので、交通事故防止につながり児童の安全を守ることができる。また、女の子や男の子が好む図形さらにはまんがキャラクターなどを施すことにより、他のランドセルと差別化することができるので購買意欲を増進させることができる。
【００３７】
第２補強片４０は、大マチ面部１２に位置する側面板部４１の一辺に軸孔４９を有した半円形に形成した支持板部４８を一体に形成した側面補強部４７、または、底面部１３に位置する底面板部４２の一辺に軸孔４９を有した半円形に形成した支持板部４８を一体に形成した側面補強部４７と、背板９の隅部に位置する背面板部４３とをそれぞれ一体に形成したことにより、三角隅部Ｘの補強と大マチ面部１２に取付けるだるま環、または、底面部１３に取付ける安定足片の補強を一つの補強片４０で兼ねることができるので部品数が少なくコストダウンが図れて経済的である。
【００３８】
前記支持板部４８は、前記したごとく、表面側に軽金属材であるアルミ板を貼付けて前記側面板部４１または底面板部４２と一体に側面補強部４７を形成してもよい。支持板部４８の表面に軽金属材を貼着して形成することにより、大マチ面部１２または底面部１３の強度を高めることができる。また、縫製工程に於いても前記したごとく、大マチ面部１２の縫代部１２ａと底面部１３の縫代部１３ａと背板９の周縁部とを縫着しながら三角隅部を縫製するときに背面板部４３と背板９と大マチ面部１２とを一緒にアール状に縫着固定することができるので、縫製作業の効率化を図ることができる。
【符号の説明】
【００３９】
８      ランドセル
９      背板
１０    主収納室
１１    大マチ片
１２    大マチ面部
１３    底面部
１５    副収容室
１７    前ポケット
１８    蓋板
２０    第１補強片
２１    側面板部
２２    底面板部
２３    背面板部
２４    縫代部
２５    係止突起
２７    接着部
３７    係止凹部
３８    装飾部
４０    第２補強片
４１    側面板部
４２    底面板部
４３    背面板部
４４    縫代部
４５    係止突起
４６    接着部
４７    側面補強部
４８    支持板部
４９    軸孔
５１    縫い糸
【図１】
0003175954.tif 000003
【図２】
0003175954.tif 000004
【図３】
0003175954.tif 000005
【図４】
0003175954.tif 000006
【図５】
0003175954.tif 000007
【図６】
0003175954.tif 000008
【図７】
0003175954.tif 000009
【図８】
0003175954.tif 000010
【図９】
0003175954.tif 000011
【図１０】
0003175954.tif 000012
【図１１】
0003175954.tif 000013
【図１２】
0003175954.tif 000014